(57)【要約】【課題】  本考案は、一般のコンクリートブロックと同様に、容易に積み上げることができ、しかもデザイン性に優れた塀を構築することができる建築用ブロックを提供する。【解決手段】  鉄筋逃げ部及び／又は鉄筋挿通部を有するコンクリートブロック材と、御影石、大理石、石灰石、安山岩、砂岩等の天然石材でコンクリートブロック材の外装面と同形状に形成され、外装面を覆うように接着固定される薄板状の化粧材と、からなることを特徴とする。【選択図】図１
0003106869.tif 000002
【実用新案登録請求の範囲】
【請求項１】
鉄筋逃げ部及び／又は鉄筋挿通部を有するコンクリートブロック材と、
該コンクリートブロック材の外装面と同形状に形成され、前記外装面を覆うように固定される薄板状の化粧材と、からなることを特徴とする建築用ブロック。
【請求項２】
前記化粧材は、天然石材であることを特徴とする請求項１に記載の建築用ブロック。
【請求項３】
前記化粧材は、前記コンクリートブロックの外装面に接着により固定されていることを特徴とする請求項１又は２に記載の建築用ブロック。
【請求項４】
前記コンクリートブロック材は、塀のコーナー部分を構築するために使用されるものであって、前記化粧材は、相互に交差する二つの外装面に亘って固定されていることを特徴とする請求項１乃至３のいずれかに記載の建築用ブロック。
【考案の詳細な説明】
【技術分野】
【０００１】
本考案は、塀等を構築するために使用される建築用ブロックに関する。
【背景技術】
【０００２】
従来、塀工事等においては、鉄筋逃げ部や鉄筋挿通部を有するコンクリートブロックに、縦方向及び横方向に延びる鉄筋を組み合わせて、ブロック塀を構築することが行われている。このようなブロック塀は、コンクリートブロックに予め鉄筋を通すための処理が施されているため、短い工期で完成させることができる反面、剥き出しのコンクリートは外見的に高級感に欠けるという問題がある。
【０００３】
一方、天然石材を切り出して積み上げる石塀では、高級感のある外観は得られるものの、コンクリートブロックのような鉄筋逃げ部や鉄筋挿通部が設けられていないため、専門的な技能を有する者でなければ対応することできなかった。しかも、石材は、コンクリートブロックに比べて重量が大きいために、取り扱い難いという問題がある。
【０００４】
これに対して、石材により形成され、鉄筋逃げ部や鉄筋挿通部を有するブロックが提案されている（例えば、特許文献１参照。）。このような石材ブロックによれば、通常の石積み工事と異なり、専門的な技能を必要とせず、また、鉄筋逃げ部等の空洞が設けられている分、ブロック重量も通常の石材より小さく抑えられているために取扱い易く、外見的に通常の石塀と変わらないものである。
【特許文献１】特開２００１−１８２１９１号公報
【考案の開示】
【考案が解決しようとする課題】
【０００５】
しかしながら、上記のような石材ブロックは、原石から単に矩形状等に切り出す場合と異なり、鉄筋逃げ部や鉄筋挿通部を形成するための加工が必要であり、また、このような加工は切削工具の寿命を縮めるため、結局、コストが高くなりすぎるという問題がある。
【０００６】
本考案は、斯かる実情に鑑み、一般のコンクリートブロックと同様に、容易に積み上げることができ、しかもデザイン性に優れた塀を構築することができる建築用ブロックを提供しようとするものである。
【課題を解決するための手段】
【０００７】
請求項１の発明は、鉄筋逃げ部及び／又は鉄筋挿通部を有するコンクリートブロック材と、該コンクリートブロック材の外装面と同形状に形成され、前記外装面を覆うように固定される薄板状の化粧材と、からなることを特徴とする建築用ブロックを提供する。
【０００８】
請求項２の発明は、前記化粧材は、天然石材であることを特徴とする請求項１に記載の建築用ブロックを提供する。
【０００９】
請求項３の発明は、前記化粧材は、前記コンクリートブロックの外装面に接着により固定されていることを特徴とする請求項１又は２に記載の建築用ブロックを提供する。
【００１０】
請求項４の発明は、前記コンクリートブロック材は、塀のコーナー部分を構築するために使用されるものであって、前記化粧材は、相互に交差する二つの外装面に亘って固定されていることを特徴とする請求項１乃至３のいずれかに記載の建築用ブロックを提供する。
【考案の効果】
【００１１】
本考案の請求項１に記載の建築用ブロックによれば、下記の優れた効果を奏する。鉄筋逃げ部及び／又は鉄筋挿通部を有するコンクリートブロック材を有してなるので、通常のコンクリート製ブロックと同様に、接合面に鉄筋を設けることにより、特別な技能を要することなく容易に積み上げることができるものである。また、コンクリートブロック材の外装面を覆うようにして薄板状の化粧材が固定されているので、コンクリートブロックには無い高級感をもたせることができるものである。
【００１２】
本考案の請求項２に記載の建築用ブロックによれば、請求項１に記載の建築用ブロックが奏する効果に加えて、以下の優れた効果を奏する。コンクリートブロック材の外装面を覆う化粧材を天然石材としたので、この建築用ブロックを積み上げて塀を構築すると、あたかも天然石材を切り出して石積みしたかのように見せることができるものである。
【００１３】
本考案の請求項３に記載の建築用ブロックによれば、請求項１又は２に記載の建築用ブロックが奏する効果に加えて、以下の優れた効果を奏する。化粧材を接着することとしたので、固定金具を取り付けたり、そのためにコンクリートブロック材や化粧材に固定金具を取り付けるための加工を施したりする必要がなく、低コストで製作することができるものである。
【００１４】
本考案の請求項４に記載の建築用ブロックによれば、請求項１乃至３のいずれかに記載の建築用ブロックが奏する効果に加えて、以下の優れた効果を奏する。化粧材が、相互に交差して塀等のコーナー部分に該当する二つの外装面に固定されているので、特別な加工を施すことなく、コーナー部分を有する塀を容易に構築することができるものである。
【考案を実施するための最良の形態】
【００１５】
以下、本考案の実施形態について添付図面を参照しながら説明する。図１は、本実施形態に係る建築用ブロックの製作方法を説明する図、図２は、本実施形態に係る建築用ブロックの種類を示す図である。図３及び図４は、本実施形態に係る建築用ブロックを使用して構築される塀を示したものであり、図３は芋目地による場合、図４は馬目地による場合を示す。図５は、他の実施形態に係る建築用ブロックを示す図である。
【００１６】
本実施形態に係る建築用ブロックは、図１に示されるように、主として、コンクリートブロック材１と、このコンクリートブロック材１の外装面１１に接着固定される化粧材２と、からなる。コンクリートブロック材１は、モルタルを型枠（図示なし）に流し込んで概ね直方体形状に成形したものであって、矩形状の外装面１１を有してなる。コンクリートブロック材１を積み上げる際にモルタルで接合される接合面１２には、縦方向に延びる鉄筋を通すために、凹溝形状の鉄筋逃げ部１２ａや貫通穴形状の鉄筋挿通部１２ｂが形成されている。
【００１７】
化粧材２は、天然石材を、コンクリートブロック材１の外装面１１の寸法形状に合わせて切り出した矩形状の薄板である。化粧材２の表面側２１は、高級感のある風合いの化粧仕上げが施されており、外装面１１に接着固定される裏面側２２（図示なし）は、外装面１１に密着させるために、凹凸の無い平坦状に加工されている。化粧材２の素材となる天然石材には、御影石、大理石、石灰石、安山岩、砂岩等を使用することができるが、天然石材に限らず、人口石、焼成タイル、その他の化粧素材を使用することとしても良い。また、天然石材からなる化粧材２の表面側の化粧仕上げとしては、割肌、こぶ出し、ビシャン、磨き、サンドブラスト等、種々の仕上げ方法を採用することができる。
【００１８】
コンクリートブロック材１と化粧材２の接着には、例えば、変性シリコーン樹脂を主成分とする無機材用接着剤が使用される。接着の際には、これらの接着剤を厚めに塗布して、接着面を擦り合わせるようにしながら圧着させる。接着性を向上させるため、コンクリートブロック材１の外装面１１側に、細かい凹凸を埋める下地処理用樹脂を予め塗布しておくことが好ましい。
【００１９】
本実施形態に係る建築用ブロックは、ベースとなるコンクリートブロック材の形状の違いによって、図２に示される４種類が形成される。図２において、（ａ）は、コンクリートブロック材１の接合面に、縦方向の鉄筋を通すための鉄筋逃げ部１２ａと鉄筋挿通部１２ｂを有するブロックを示し、（ｂ）は、接合面に縦方向の鉄筋を通すための鉄筋逃げ部１２ａと、横方向の鉄筋を通すための鉄筋逃げ部１２ｃを有するブロックを示す。
【００２０】
図２（ｃ）は、塀等のコーナー部を構築するために使用されるブロックであって、相互に交差する二面に亘って形成される外装面に化粧材２が固定されており、接合面に縦方向の鉄筋を通すための鉄筋逃げ部１２ａと鉄筋挿通部１２ｂ、及び横方向の鉄筋を通すための鉄筋逃げ部１２ｃが設けられている。（ｄ）は、（ｃ）のブロックと同様に塀等のコーナー部を構築するために使用されるものであって、長手方向の長さが（ｃ）のブロックの１／２となっており、接合面に縦方向の鉄筋を通すための鉄筋逃げ部１２ａと鉄筋挿通部１２ｂが設けられている。
【００２１】
図３は、縦方向の接合面が一直線状に延びる芋目地に仕上げられている塀を示し、この塀は、図２（ａ）（ｂ）及び（ｃ）に示される建築用ブロックで積み上げられる。図４は、縦方向の接合面が互い違いに延びる馬目地に仕上げられている塀を示し、この塀は、図２（ａ）（ｂ）及び（ｃ）に示される建築用ブロックに加えて（ｄ）に示される建築用ブロックで積み上げられる。いずれも通常のブロック塀と同様、ブロック２個おきに縦方向及び横方向に延びる鉄筋Ｓを通してなるものであって、十分な強度が得られるものであるが、表面全体が天然石材からなる化粧材２で覆われており、外見上は、コンクリート部分が隠れて、通常の石塀と同様の高級感が得られるものである。
【００２２】
図５は、建築用ブロックの別の実施形態を示したものであって、コンクリートブロック材１の二つある外装面の両面に化粧材２が固定されたものである。したがって、構築される塀の両面が石材で覆われることなり、より高級感を高めることができるものである。
【００２３】
本考案の建築用ブロックは、上記した実施の形態に限定されるものではなく、本考案の要旨を逸脱しない範囲内において種々変更を加え得ることは勿論である。
【図面の簡単な説明】
【００２４】
【図１】本実施形態に係る建築用ブロックの製作方法を説明する図。
【図２】本実施形態に係る建築用ブロックの種類を示す図であって、（ａ）は塀等における一般部に使用されるブロック、（ｂ）は横方向に延びる鉄筋が設けられる部分に使用されるブロック、（ｃ）及び（ｄ）はコーナー部に使用されるブロックを示す。
【図３】本実施形態に係る建築用ブロックを使用した塀（芋目地）を示す図であって、（ａ）は塀全体の構造を示す斜視図、（ｂ）は塀の横断面Ａ−Ａを示す図。
【図４】本実施形態に係る建築用ブロックを使用した塀（馬目地）を示す図であって、（ａ）は塀全体の構造を示す斜視図、（ｂ）は塀の横断面Ｂ−Ｂを示す図、（ｃ）は横方向に延びる鉄筋が通される横断面Ｃ−Ｃを示す図。
【図５】建築用ブロックの他の実施形態を示す図。
【符号の説明】
【００２５】
１    コンクリートブロック材
２    化粧材
１１    外装面
１２    接合面
１２ａ    鉄筋逃げ部
１２ｂ    鉄筋挿通部
１２ｃ    鉄筋逃げ部
【図１】
0003106869.tif 000003
【図２】
0003106869.tif 000004
【図３】
0003106869.tif 000005
【図４】
0003106869.tif 000006
【図５】
0003106869.tif 000007